(57)【要約】      （修正有）【課題】低コストでデジタル放送及びアナログ放送を受信できるようにする。【解決手段】異なる方向から到来する複数のアナログテレビジョン放送信号を受信するように設置された八木形アンテナ２、４、６の受信信号が混合器８に供給される。混合器８は、バンドパスフィルタを有し、対応するアナログテレビジョン放送信号を通過させる。混合器８は、フィルタの出力信号を混合した第１の混合信号を混合器２２に供給する。それぞれ異なる方向から到来する周波数が互いに接近している複数のデジタルテレビジョン放送信号を１つのループアンテナ２６が受信し、混合器２２に供給する。混合器２２は、ループアンテナ２６からの複数のデジタルテレビジョン放送信号を通過させるバンドパスフィルタと、第１の混合信号を通過させるバンドパスフィルタとを含み、これらフィルタの出力信号を混合して、第２の混合信号として出力する。【選択図】図１
2008227684.tif 000002
【特許請求の範囲】
【請求項１】
それぞれが異なる方向から到来する複数のアナログテレビジョン放送信号を個別に受信するように設置された複数の指向性アンテナと、
前記各アナログテレビジョン放送信号に対応する複数の第１のフィルタ手段を有し、各第１のフィルタ手段は、対応する前記アナログテレビジョン放送信号を通過させ、他の信号を除去し、これら第１のフィルタ手段の出力信号を混合した第１の混合信号を出力する第１の混合手段と、
それぞれ異なる方向から到来する周波数が互いに接近している複数のデジタルテレビジョン放送信号を受信する１つの無指向性アンテナと、
この無指向性アンテナで受信した前記複数のデジタルテレビジョン放送信号を通過させ他の信号を除去する第２のフィルタ手段を含み、更に第１の混合信号を通過させ他の信号を除去する第３のフィルタ手段も含み、第２及び第３のフィルタ手段の出力信号を混合して出力する第２の混合手段とを、
具備し、第２のフィルタ手段は、前記複数のデジタルテレビジョン放送信号の波数よりも少ない数のフィルタによって構成され、第３のフィルタ手段は、前記複数のアナログテレビジョン放送信号の波数よりも少ない数のフィルタによって構成されているテレビジョン放送受信装置。
【請求項２】
それぞれが異なる方向から到来する複数のアナログテレビジョン放送信号を複数の指向性アンテナが個別に受信し、前記各アナログテレビジョン放送信号に対応する複数の第１のフィルタ手段が、対応する前記アナログテレビジョン放送信号を通過させ、他の信号を除去し、これら第１のフィルタ手段の出力信号を混合した第１の混合信号を出力する受信装置に、
それぞれ異なる方向から到来する周波数が互いに接近している複数のデジタルテレビジョン放送信号を受信する無指向性アンテナと、
この無指向性アンテナで受信した前記複数のデジタルテレビジョン放送信号を通過させ他の信号を除去する第２のフィルタ手段と、更に第１の混合信号を通過させ他の信号を除去する第３のフィルタ手段とを備え、第２及び第３のフィルタ手段の出力信号を混合して出力する第２の混合手段とを、付加するテレビジョン放送受信方法。
【発明の詳細な説明】
【技術分野】
【０００１】
本発明は、テレビジョン放送受信装置及び方法に関し、特に、デジタルテレビジョン放送とアナログテレビジョン放送とを受信するものに関する。
【背景技術】
【０００２】
現在、地上デジタル放送と地上アナログ放送とが併存する状態で放送が行われている。この状態に対処するために、例えば特許文献１に開示されているような技術がある。この技術では、地上アナログ放送をＵＨＦアナログ放送用アンテナで受信して、そのまま伝送線路に供給する。一方、地上デジタル放送をＵＨＦデジタル放送用アンテナで受信して、チューナで復調した後に、変調器によってＶＨＦ帯の信号に変調し、この変調信号を前記ＵＨＦアナログ放送が伝送されている伝送線路に混合するものである。
【０００３】
【特許文献１】特開２００６−３１９７９８号公報
【発明の開示】
【発明が解決しようとする課題】
【０００４】
しかし、このような技術では、チューナや変調器が必要であり、コストがアップする。
またＥＰＧなどのデジタル放送の特長が失われる。
【０００５】
本発明は、低コストでデジタル放送及びアナログ放送を受信できるようにする受信装置及び受信方法を提供することを目的とする。
【課題を解決するための手段】
【０００６】
本発明の一態様の受信装置では、それぞれが異なる方向から到来する複数のアナログテレビジョン放送信号を個別に受信するように複数の指向性アンテナが設置されている。これら指向性アンテナとしては、ゴーストの影響を除去するために、高利得で高Ｆ／Ｂ比の指向性アンテナ、例えば八木形アンテナが望ましい。これら各アンテナは、受信しようとするアナログテレビジョン放送の電波の到来方向に、指向性を向けるように設置されている。各アナログテレビジョン放送信号は、第１の混合手段に供給される。第１の混合手段は、各アナログテレビジョン放送信号に対応する複数の第１のフィルタ手段を有している。各第１のフィルタ手段は、対応するアナログテレビジョン放送信号を通過させ、他の信号を除去する。これら第１のフィルタ手段の出力信号を混合した第１の混合信号を第１の混合手段が出力する。各アナログテレビジョン放送信号を対応する第１のフィルタ手段を通過させているので、不要な信号を完全に除去することができる。アナログテレビジョン放送信号の周波数は、隣接していなく、さして狭帯域のものを第１のフィルタ手段に使用する必要はない。この受信装置は、更に無指向性アンテナも有している。この無指向性アンテナは、それぞれ異なる方向から到来する周波数が互いに接近している、例えば隣接または隣隣接チャンネルの複数のデジタルテレビジョン放送信号を受信する。無指向性アンテナとしては、全方位に同じ利得のものが望ましく、例えばループアンテナを使用することができる。この無指向性アンテナで受信した前記複数のデジタルテレビジョン放送信号と第１の混合信号とは第２の混合手段に供給される。第２の混合手段は、第２のフィルタ手段と第３のフィルタ手段とを含んでいる。第２のフィルタ手段は、前記複数のデジタルテレビジョン放送信号を通過させ、他の信号を除去する。第３のフィルタ手段は、第１の混合信号を通過させ、他の信号を除去する。第２の混合手段は、第２及び第３のフィルタ手段の出力信号を混合して出力する。第２のフィルタ手段は、複数の地上デジタルテレビジョン信号を通過させるものであり、その波数よりも少ない数のフィルタによって構成され、第３のフィルタ手段も、複数の地上アナログテレビジョン放送信号を通過させるものであり、その波数よりも少ない数のフィルタによって構成されている。
【０００７】
このように構成された受信装置では、各アナログテレビジョン放送信号はノイズが除去された状態で、第１の混合信号として第１の混合手段から出力され、第２の混合手段に供給される。各デジタル放送信号は第２の混合手段の第２のフィルタ手段でノイズが除去された上に第１の混合信号の影響を受けない状態とされ、第１の混合信号も第３のフィルタ手段で各デジタル放送信号の影響を受けない状態とされ、これらが第２の混合信号として出力される。この受信装置では、チューナや変調器は使用されて無く、アナログ放送を受信するために必要な各アナログ放送受信用アンテナと第１の混合手段の他に、無指向性アンテナと第２の混合手段とを設けるだけであるので、低コストとすることができる。
【０００８】
例えばデジタルテレビジョン放送信号も、アナログテレビジョン放送信号と同様に、各デジタルテレビジョン放送信号ごとにアンテナを設置し、このアンテナの受信信号のみを通過させるフィルタをそれぞれ設け、これらフィルタの出力信号を第１の混合信号と混合する事も考えられる。しかし、デジタルテレビジョン放送ごとにアンテナを設置していると、コストがアップする。また、デジタルテレビジョン放送信号の周波数は、比較的接近しているので、他のデジタルテレビジョン放送信号の影響を受けないように、必要とするデジタルテレビジョン放送信号のみを通過させるには、フィルタを狭帯域に構成する必要がある。しかし、これは、技術的にもコスト的にも困難である。そこで、この受信装置では、デジタルテレビジョン放送信号（ＯＦＤＭ波）は、マルチパスの影響を受けても、良好に受信できる特性があるので、無指向性の１つのアンテナを用いて、全てのデジタルテレビジョン放送信号を受信し、さらに全てのデジタルテレビジョン放送信号を通過させ、他の信号を除去する第２のフィルタ手段を設けることによって、コストの低減を図りつつ、デジタルテレビジョン放送を良好に受信可能としている。
【０００９】
上述したような指向性アンテナと第１の混合手段とが設けられて、アナログテレビジョン放送を受信可能な状態において、上述した無指向性アンテナと、上述した第２の混合手段とを付加することによって、デジタルテレビジョン放送信号を受信する事が可能となる。しかも、無指向性アンテナと第２の混合手段の付加だけでよいので、低コストで受信可能となる。
【発明の効果】
【００１０】
以上のように、本発明によれば、低コストで、良好にアナログ及びデジタルテレビジョン放送を受信することが可能となる。
【発明を実施するための最良の形態】
【００１１】
本発明の１実施形態の受信装置は、図１に示すように、それぞれ異なる方向から到来するアナログテレビジョン放送電波を受信する複数、例えば３つの指向性アンテナを有している。これら指向性アンテナは、例えば、ＵＨＦ帯の２１チャンネルを受信する八木形アンテナ２と、ＵＨＦ帯の３４チャンネルを受信する八木形アンテナ４と、ＵＨＦ帯の３６チャンネルを受信する八木形アンテナ６である。これら八木形アンテナ２、４、６は、高利得、高前後比のもので、それぞれ指向性を対応するチャンネルの電波の到来方向に向けて配置されている。
【００１２】
これら八木形アンテナ２、４、６で受信された２１、３４、３６チャンネルのアナログテレビジョン放送信号は、第１の混合手段、例えば混合器８によって混合される。この混合器８は、図２に示すように、２１チャンネルのアナログテレビジョン放送信号が供給される入力端子１０ａを有し、２１チャンネルのアナログテレビジョン放送信号は、第１のフィルタ手段、例えばバンドパスフィルタ１２ａに供給される。このバンドパスフィルタ１２ａの通過帯域は、２１チャンネルのアナログテレビジョン放送信号のみを通過させるように選択されている。更に、混合器８は、３４チャンネルのアナログテレビジョン放送信号が供給される入力端子１０ｂを有し、３４チャンネルのアナログテレビジョン放送信号は、第１のフィルタ手段、例えばバンドパスフィルタ１２ｂに供給される。バンドパスフィルタ１２ｂの通過帯域は、３４チャンネルのアナログテレビジョン放送信号のみを通過させるように選択されている。混合器８は、３６チャンネルのアナログテレビジョン放送信号が供給される入力端子１０ｃも有し、３６チャンネルのアナログテレビジョン放送信号は、第１のフィルタ手段、例えばバンドパスフィルタ１２ｃに供給されている。バンドパスフィルタ１２ｃの通過帯域は、３６チャンネルのアナログテレビジョン放送信号のみを通過させるように選択されている。これらバンドパスフィルタ１２ａ、１２ｂ、１２ｃの出力信号は、それぞれ出力端子１４に供給されている。従って、出力端子１４から、チャンネル２１、３４、３６アナログテレビジョン放送信号のみが混合され、他の信号成分を含まない第１の混合信号が出力される。
【００１３】
第１の混合信号は、増幅手段、例えばブースタ１６に供給される。このブースタ１６には、ＶＨＦ帯の八木形アンテナ１８からのＶＨＦ帯のアナログテレビジョン放送信号も供給されている。ＶＨＦ帯の八木形アンテナ１８は、同一地点から送信されている複数波のＶＨＦ帯テレビジョン放送信号を受信している。更に、ブースタ１６には、衛星放送や衛星通信用の受信アンテナ２０で受信され、このアンテナに付属するコンバータ２０ａによって周波数変換された衛星放送・通信中間周波信号も供給されている。これらＵＨＦ帯のアナログテレビジョン放送信号、ＶＨＦ帯のアナログテレビジョン放送信号及び衛星放送・通信中間周波信号は、それぞれブースタ１６で増幅されて、混合されて出力される。なお、ブースタ１６は、通電型のもので、その出力側とコンバータ２０ａが接続される入力端子との間に、直流動作電源の通路を有し、この通路を介して直流動作電源をコンバータ２０ａに供給すると共に、ブースタ１６自体も出力側から供給された直流動作電源によって動作するように構成されている。
【００１４】
ブースタ１６の出力信号は、第２の混合手段、例えば混合器２２に供給される。混合器２２には、増幅手段、例えばブースタ２４で増幅された無指向性アンテナの受信信号も供給されている。無指向性アンテナは、様々な方向から到来する複数のデジタルテレビジョン放送電波を受信し、デジタルテレビジョン放送信号を発生するもので、例えばループアンテナ２６が無指向性アンテナとして使用されている。このループアンテナ２６は、水平面において３６０度いずれの方向からの利得も均一で、ＵＨＦ帯の１３乃至１７、２４チャンネル、２３、２６、２７チャンネルのデジタルテレビジョン放送信号を受信する。
【００１５】
１３、１４、１５、１６、１７、２４チャンネルは、上述したＶＨＦのテレビジョン放送信号と同一の送信場所から送信され、２３チャンネルは、上述した３４チャンネルのアナログテレビジョン放送信号と同一の送信場所から送信され、２６チャンネルは、上述した３６チャンネルのアナログテレビジョン放送信号と同一の送信場所から送信され、２７チャンネルは、上述した２１チャンネルのアナログテレビジョン放送信号と同一の送信場所から送信されている。
【００１６】
１３乃至１７チャンネルは隣接チャンネルの周波数配置で送信され、２６、２７チャンネルも隣接チャンネルの周波数配置で送信され、２４、２６チャンネルは隣隣接チャンネルの周波数配置で送信されている。なお、ループアンテナ２６は、この他に上述した２１、３４、３６チャンネルのアナログテレビジョン放送信号も受信している。
【００１７】
これら受信信号は、ブースタ２４で増幅されて、混合器２２に供給される。混合器２２は、図３に示すように、入力端子２８ａを有し、これには、ブースタ１６の出力信号が供給されている。ブースタ１６の出力信号は、第２のフィルタ手段、例えばバンドパスフィルタ３０ａ、３０ｂに供給されると共に、フィルタ手段、例えばハイパスフィルタ３２ａ、３２ｂにも供給されている。バンドパスフィルタ３０ａの通過帯域は、２１チャンネルのアナログテレビジョン放送信号のみを通過させるように選択され、バンドパスフィルタ３０ｂの通過帯域は、３４及び３６チャンネルのアナログテレビジョン放送信号を通過させるように選択されている。ハイパスフィルタ３２ａの通過帯域は、衛星放送・通信中間周波信号を通過させるように選択され、ローパスフィルタ３２ｂの通過帯域は、ＶＨＦ帯テレビジョン放送信号を通過させるように選択されている。これらバンドパスフィルタ３０ａ、３０ｂ、ハイパスフィルタ３２ａ、ローパスフィルタ３２ｂの出力信号は、出力端子３４に供給されている。
【００１８】
混合器２２は、入力端子２８ｂも有し、これには、ブースタ２４の出力信号が供給されている。このブースタ２４の出力信号は、入力端子２８ｂを介して第３のフィルタ手段、例えばバンドパスフィルタ３６ａ、３６ｂに供給されている。バンドパスフィルタ３６ａの通過帯域は、１３乃至１７チャンネルのデジタルテレビジョン放送信号のみを通過させるように選択され、バンドパスフィルタ３６ｂの通過帯域は、２３から２７チャンネルのデジタルテレビジョン放送信号を通過させるように選択されている。これらバンドパスフィルタ３６ａ、３６ｂの出力信号は、出力端子３４に供給されている。
【００１９】
従って、出力端子３４には、ＵＨＦ帯の２１、３４、３６チャンネルのアナログテレビジョン放送信号、ＶＨＦ帯のテレビジョン放送信号、衛星放送・通信中間周波信号、１３乃至１７、２３、２４、２６、２７チャンネルのデジタルテレビジョン放送信号の混合信号が出力される。ループアンテナ２６で受信された２１、３４、３６チャンネルのアナログテレビジョン放送信号は出力されていない。
【００２０】
なお、ブースタ１６とコンバータ２０ａとを動作させるための直流電源を供給するために、出力端子３４と入力端子２８ａとの間に直流動作電源用の通路が高周波阻止コイル３８によって構成されている。同様にブースタ２４を動作させるための直流電源を供給するために、出力端子３４と入力端子２８ｂとの間に直流動作電源用の通路が高周波阻止コイル４０によって構成されている。このように混合器２２も通電型である。
【００２１】
この混合器２２の出力信号は、図１に示すように分配手段、例えば４分配器４２に供給され、ここで例えば４分配され、各端末端子４４ａ乃至４４ｄに供給される。各端末端子４４ａ乃至４４ｄは、デジタルテレビジョン受信機またはアナログテレビジョン受信機に接続される。また、これら端末４４ａ乃至４４ｄのいずれかから、例えば端末端子４４ｄから直流動作電源が供給される。そのため、４分配器４２も通電型である。
【００２２】
なお、既にアナログテレビジョン放送信号を受信するために、ＵＨＦ帯受信用の八木形アンテナ２、４、６、ＶＨＦ帯受信用アンテナ１８、衛星放送・通信受信用アンテナ２０、ブースタ１６、分配器４２、端末端子４４ａ乃至４４ｄが設置されている状態において、デジタルテレビジョン放送を受信するために、ループアンテナ２６、ブースタ２４、混合器２２を新たに設置することもできる。
【００２３】
このように構成された受信装置では、図４に示すように、混合器８の出力信号には、チャンネル２１、３４及び３６のアナログテレビジョン放送信号のみが出力され、他の信号は生じていない。また、混合器２２の出力信号は、図５に示すように、チャンネル２１、３４及び３６のアナログテレビジョン放送信号、ＶＨＦ帯のテレビジョン放送信号、チャンネル１３乃至１７、２３、２４、２６、２７のデジタルテレビジョン放送信号が含まれている。なお、図５には示していないが、衛星放送・通信中間周波信号も含まれている。
【００２４】
もし、デジタルテレビジョン放送信号も、八木形アンテナ２、４、６、混合器８と同様に各チャンネルごとに受信しようとすると、１３乃至１７及び２４チャンネルのデジタルテレビジョン放送受信用の八木形アンテナ、チャンネル２３のデジタルテレビジョン放送用の八木形アンテナ、チャンネル２６のデジタルテレビジョン放送受信用の八木形アンテナ、チャンネル２７のデジタルテレビジョン放送受信用の八木形アンテナと、各チャンネル１３乃至１７、２３、２４、２６、２７の周波数帯を通過帯域とする９つのバンドパスフィルタが必要になる。しかも、これらバンドパスフィルタのうち、隣接チャンネルで送信されている１３乃至１７のチャンネルをそれぞれ通過させるものは、隣接チャンネルの影響を受けないように狭帯域に設定する必要がある。チャンネル２３用のバンドパスフィルタとチャンネル２４用のバンドパスフィルタとでも、チャンネル２６用のバンドパスフィルタとチャンネル２７用のバンドパスフィルタとでも同様である。従って、多数の八木形アンテナと狭帯域の多数のバンドパスフィルタとが必要となり、設置が面倒である上に、高コストとなる。
【００２５】
これに対し、この実施形態のようにループアンテナ２６と混合器２２とを使用すれば、デジタル受信用に使用するアンテナは１つだけであり、混合器４２に使用するバンドパスフィルタも、複数のデジタル放送信号を通過させることができる比較的広帯域のものと、複数のアナログ放送信号を通過させることができる比較的広帯域のものとを使用することができるので、使用するアンテナの数及びフィルタの数を減少させることができ、設置や製造が容易になるし、低コストとすることができる。
【００２６】
上記の実施形態では、衛星放送受信用アンテナ２０やＶＨＦ帯受信用アンテナ１８を設けたが、場合によってはこれらは不要である。その場合、ブースタ１６は、ＵＨＦ帯の２１、３４、３６チャンネルのアナログテレビジョン放送信号を増幅することができるものとすることが可能である。また、場合によっては、ブースタ１６、２４を除去することができる。また４つの端末端子４４ａ乃至４４ｄを設けたが、その数は任意に変更することができ、その数に応じた分配数の分配器に４分配器４２を変更することができ、端末端子が１台の場合には分配器４２は不要である。また、上記の実施形態では、ＵＨＦ帯のアナログテレビジョン放送の波数を３、デジタルテレビジョン放送信号の波数を９としたが、これらに限ったものではなく、この受信装置の設置場所に応じてそれぞれ波数は変更される。上記の実施形態では、指向性アンテナとして八木形アンテナを使用したが、これに限ったものではなく、他の指向性アンテナを使用することもできる。また、無指向性アンテナとしてループアンテナを使用したが、これに限ったものではなく、他の無指向性アンテナを使用することもできる。
【図面の簡単な説明】
【００２７】
【図１】本発明の１実施形態の受信装置のブロック図である。
【図２】図１の受信装置において使用している混合器８のブロック図である。
【図３】図１の受信装置において使用している混合器２２のブロック図である。
【図４】図２の混合器の出力の利得対周波数特性図である。
【図５】図３の混合器の出力の利得対周波数特性図である。
【符号の説明】
【００２８】
２  ４  ８  八木形アンテナ（指向性アンテナ）
８  混合器（第１の混合手段）
２２  混合器（第２の混合手段）
２６  ループアンテナ（無指向性アンテナ）
【図１】
2008227684.tif 000003
【図２】
2008227684.tif 000004
【図３】
2008227684.tif 000005
【図４】
2008227684.tif 000006
【図５】
2008227684.tif 000007